(57)【要約】【課題】サイズをスリム化した液晶表示装置を提供する。【解決手段】本発明の液晶表示装置は、短辺と長辺とを有する液晶パネル、液晶パネルと重畳するように配置された導光板、導光板を収納する収納容器、液晶パネルの短辺又は長辺のうちのいずれか一つに沿って収納容器の側壁と導光板との間に配置されて液晶パネルに映像信号を供給する第１印刷回路基板、及び液晶パネルの短辺又は長辺の残りのうちの一つに沿って収納容器の側壁と導光板との間に配置されて液晶パネルに光を供給する光源を備える。【選択図】図２
2012018401.tif 000002
【特許請求の範囲】
【請求項１】
複数の縁を有する液晶パネルと、
前記液晶パネルと重畳するように配置された導光板と、
前記導光板を収納する収納容器と、
前記液晶パネルの複数の縁のうちのいずれか一つに沿って前記収納容器の側壁と前記導光板との間に配置されて前記液晶パネルに映像信号を供給する印刷回路基板と、
前記液晶パネルの複数の縁の残りのうちの一つに沿って前記収納容器の側壁と前記導光板との間に配置されて前記液晶パネルに光を供給する光源と、を備えることを特徴とする液晶表示装置。
【請求項２】
前記導光板は所定の平面を有する平面形状であり、
前記印刷回路基板は前記導光板の所定の平面と同一平面に配置されることを特徴とする請求項１に記載の液晶表示装置。
【請求項３】
前記印刷回路基板と電気的に接続される駆動集積回路チップを更に含むことを特徴とする請求項１に記載の液晶表示装置。
【請求項４】
前記駆動集積回路チップはデータ駆動部を含むことを特徴とする請求項３に記載の液晶表示装置。
【請求項５】
前記駆動集積回路チップは組み込み型の（ｅｍｂｅｄｄｅｄ）タイミングコントローラを含むことを特徴とする請求項４に記載の液晶表示装置。
【請求項６】
前記液晶パネルの複数の縁は短辺と長辺とを含み、
前記印刷回路基板は前記液晶パネルの長辺に沿って配置され、
前記光源は前記液晶パネルの短辺に沿って配置されることを特徴とする請求項５に記載の液晶表示装置。
【請求項７】
前記印刷回路基板は前記液晶パネルの下側長辺に沿って配置されることを特徴とする請求項６に記載の液晶表示装置。
【請求項８】
前記駆動集積回路チップは前記液晶パネルの長辺に配置されることを特徴とする請求項６に記載の液晶表示装置。
【請求項９】
前記駆動集積回路チップは前記液晶パネルの短辺に配置されることを特徴とする請求項６に記載の液晶表示装置。
【請求項１０】
前記液晶パネルの短辺に配置され、一端は前記液晶パネルと接続され、他端は前記印刷回路基板と接続される回路フィルムを更に含むことを特徴とする請求項９に記載の液晶表示装置。
【請求項１１】
前記回路フィルムは、前記液晶パネルの短辺に沿って折り曲げられた後に前記液晶パネルの長辺に沿って延長され、以後前記印刷回路基板に向かって延長されて該印刷回路基板と接続されることを特徴とする請求項１０に記載の液晶表示装置。
【請求項１２】
前記印刷回路基板は前記液晶パネルの短辺に沿って配置され、
前記光源は前記液晶パネルの長辺に沿って配置されることを特徴とする請求項５に記載の液晶表示装置。
【請求項１３】
前記印刷回路基板と前記駆動集積回路チップとを電気的に接続する回路フィルムを更に含むことを特徴とする請求項５に記載の液晶表示装置。
【請求項１４】
前記印刷回路基板の背面に形成され、前記回路フィルムが接続されるコネクタを更に含むことを特徴とする請求項１３に記載の液晶表示装置。
【請求項１５】
前記印刷回路基板は第１印刷回路基板であり、前記光源は点光源素子及び該点光源素子が実装された第２印刷回路基板を含むことを特徴とする請求項１に記載の液晶表示装置。
【発明の詳細な説明】
【技術分野】
【０００１】
本発明は、液晶表示装置に関し、より詳細には、液晶表示装置のサイズのスリム化を実現できる液晶表示装置に関するものである。
【背景技術】
【０００２】
液晶表示装置（Ｌｉｑｕｉｄ  Ｃｒｙｓｔａｌ  Ｄｉｓｐｌａｙ）は、現在最も広く使用されているフラットパネル表示装置（Ｆｌａｔ  Ｐａｎｅｌ  Ｄｉｓｐｌａｙ）のうちの一つであって、電極が形成された２枚の基板とその間に挿入されている液晶層からなり、電極に電圧を印加して液晶層の液晶分子を再配列させることによって透過する光の量を調節する表示装置である。
【０００３】
従来の液晶表示装置では、印刷回路基板がバックライトアセンブリなどを収納する収納容器の外部に露出する。このように印刷回路基板が収納容器の外部に露出すると液晶表示装置の厚さが増加し、外観の特性が低下するなどの短所を生じる。また収納容器の外部に露出した印刷回路基板が外部の衝撃によって破損する可能性が増加する問題点もある。
【発明の概要】
【発明が解決しようとする課題】
【０００４】
本発明は、上記従来の問題点に鑑みてなされたものであって、本発明の目的は、サイズをスリム化した液晶表示装置を提供することにある。
【課題を解決するための手段】
【０００５】
上記目的を達成するためになされた本発明の一特徴による液晶表示装置は、複数の縁を有する液晶パネルと、前記液晶パネルと重畳するように配置された導光板と、前記導光板を収納する収納容器と、前記液晶パネルの複数の縁のうちのいずれか一つに沿って前記収納容器の側壁と前記導光板との間に配置されて前記液晶パネルに映像信号を供給する印刷回路基板と、前記液晶パネルの複数の縁の残りのうちの一つに沿って前記収納容器の側壁と前記導光板との間に配置されて前記液晶パネルに光を供給する光源と、を備える。
【０００６】
前記導光板は所定の平面を有する平面形状であり、前記印刷回路基板は前記導光板の所定の平面と同一平面に配置されうる。
本発明の液晶表示装置は、前記印刷回路基板と電気的に接続される駆動集積回路チップを更に含むことができ、前記駆動集積回路チップはデータ駆動部、組み込み型の（ｅｍｂｅｄｄｅｄ）タイミングコントローラを含むことができる。
前記液晶パネルの複数の縁は短辺と長辺とを含み、前記印刷回路基板は前記液晶パネルの長辺に沿って配置され、前記光源は前記液晶パネルの短辺に沿って配置されうる。
ここで、前記印刷回路基板は前記液晶パネルの下側長辺に沿って配置され、前記駆動集積回路チップは前記液晶パネルの長辺又は短辺に配置されうる。
或いは、前記印刷回路基板は前記液晶パネルの短辺に沿って配置され、前記光源は前記液晶パネルの長辺に沿って配置されうる。
本発明の液晶表示装置は、前記液晶パネルの短辺に配置され、一端は前記液晶パネルと接続され、他端は前記印刷回路基板と接続される回路フィルムを更に含むことができ、前記回路フィルムは、前記液晶パネルの短辺に沿って折り曲げられた後に前記液晶パネルの長辺に沿って延長され、以後前記印刷回路基板に向かって延長されて該印刷回路基板と接続されうる。
また、本発明の液晶表示装置は、前記印刷回路基板と前記駆動集積回路チップとを電気的に接続する回路フィルムを更に含むことができ、前記印刷回路基板の背面に形成され、前記回路フィルムが接続されるコネクタを更に含むことができる。
前記印刷回路基板は第１印刷回路基板であり、前記光源は点光源素子及び該点光源素子が実装された第２印刷回路基板を含むことができる。
【０００７】
上記目的を達成するためになされた本発明の他の特徴による液晶表示装置は、短辺と長辺を有する液晶パネルと、前記液晶パネル上に実装され、組み込み型の（ｅｍｂｅｄｄｅｄ）タイミングコントローラを含む駆動集積回路チップと、前記液晶パネルの短辺又は長辺のうちのいずれか一つに沿って配置されて前記駆動集積回路チップと電気的に接続される印刷回路基板と、前記液晶パネルの短辺又は長辺の残りのうちの一つに沿って配置されて前記液晶パネルに光を供給する光源と、を備える。
【０００８】
本発明の表示装置セットは、前記液晶表示装置と、前記液晶表示装置の一面に配置されて該液晶表示装置の表示領域を露出させる開放ウィンドウが形成されたフロントケースと、前記液晶表示装置の後面に配置されて前記フロントケースと結合するバックケースと、を備える。
【０００９】
その他の発明の具体的な内容は詳細な説明及び図面に含まれている。
【図面の簡単な説明】
【００１０】
【図１】本発明の第１実施形態による液晶表示装置の分解斜視図である。
【図２】図１に示す液晶表示装置の正面図である。
【図３】（Ａ）は、従来の第１印刷回路基板及び駆動集積回路チップを説明するための図面であり、（Ｂ）は、図１及び図２に示す第１印刷回路基板及び駆動集積回路チップを説明するための図である。
【図４】（Ａ）は、図１に示す第１印刷回路基板と回路フィルムとの結合関係を示す斜視図であり、（Ｂ）は、（Ａ）に示す回路フィルムの斜視図である。
【図５】図１に示す回路フィルムと液晶パネルとの結合関係を示す斜視図である。
【図６】本発明の第２実施形態による液晶表示装置の正面図である。
【図７】本発明の第３実施形態による液晶表示装置の分解斜視図である。
【図８】図７に示す液晶表示装置の正面図である。
【図９】本発明の第４実施形態による液晶表示装置の分解斜視図である。
【図１０】図９に示す液晶表示装置の正面図である。
【図１１】本発明の第５実施形態による液晶表示装置の分解斜視図である。
【図１２】図１１に示す液晶表示装置の正面図である。
【図１３】本発明の第６実施形態による液晶表示装置の正面図である。
【図１４】本発明の第７実施形態による液晶表示装置の分解斜視図である。
【図１５】図１４に示すモールドフレームの平面図である。
【図１６】本発明の第８実施形態による液晶表示装置の分解斜視図である。
【図１７】本発明の第９実施形態による液晶表示装置の分解斜視図である。
【図１８】図１７に示すモールドフレームの平面図である。
【図１９】本発明の第１０実施形態による表示装置セットの分解斜視図である。
【発明を実施するための形態】
【００１１】
以下、本発明の液晶表示装置を実施するための形態の具体例を、図面を参照しながら説明する。
【００１２】
本発明の利点、特徴、及びそれらを達成する方法は、図面と共に詳細に後述する実施形態を参照すれば明確になるであろう。しかし、本発明は、以下で開示する実施形態に限定されるものではなく、異なる多様な形態で具現することが可能である。本実施形態は、単に本発明の開示が完全になるように、本発明が属する技術分野で通常の知識を有する者に対して発明の範疇を完全に知らしめるために提供するものである。図面において層及び領域のサイズ及び相対的なサイズは説明の明瞭性のために誇張することがある。
【００１３】
本明細書において単数形は、文言で特別に言及しない限り、複数形をも含む。明細書で使用する「含む（ｃｏｍｐｒｉｓｅｓ）」及び／又は「含む（ｃｏｍｐｒｉｓｉｎｇ）」は、言及した構成要素、段階、動作、及び／又は素子の一つ以上の他の構成要素、段階、動作、及び／又は素子の存在又は追加を排除しない。
【００１４】
素子（ｅｌｅｍｅｎｔｓ）又は層が、異なる素子又は層の「上（ｏｎ）」と指称するものは、他の素子或いは層の真上だけでなく、中間に他の層又は他の素子を介在する場合を全て含む。これに対し、一つの素子が他の素子と「直接上（ｄｉｒｅｃｔｌｙ  ｏｎ）」「真上」と指称するものは中間に他の素子又は層を介在しないものを示す。「及び／又は」は、言及したアイテムの各々及び一つ以上の全ての組み合わせを含む。
【００１５】
空間的に相対的な用語である「下（ｂｅｌｏｗ）」、「下（ｂｅｎｅａｔｈ）」、「下部（ｌｏｗｅｒ）」、「上（ａｂｏｖｅ）」、「上部（ｕｐｐｅｒ）」などは、図面に示しているように、一つの素子又は構成要素と異なる素子又は構成要素との相関関係を容易に記述するために使用することがある。空間的に相対的な用語は、図面に示している方向に加えて、使用時又は動作時における素子の互いに異なる方向を含む用語として理解しなければならない。明細書全体において、同一参照符号は同一構成要素を指す。
【００１６】
以下、図１〜図５を参照して本発明の第１実施形態による液晶表示装置を詳細に説明する。
【００１７】
図１は、本発明の第１実施形態による液晶表示装置の分解斜視図であり、図２は、図１に示す液晶表示装置の正面図である。
【００１８】
図１及び図２を参照すると、本発明の第１実施形態による液晶表示装置１００は、全体から見て、液晶パネルアセンブリ１２０、バックライトアセンブリ１９０、及び上部収納容器１１０を含む。
【００１９】
また、液晶パネルアセンブリ１２０は、液晶パネル１２３、回路フィルム１２６ａ、駆動集積回路（ｄｒｉｖｅｒ  ＩＣ）チップ１２６ｂ、及び第１印刷回路基板１２８などを含む。
【００２０】
液晶パネル１２３は、ゲート配線、データ配線、薄膜トランジスターアレイ、及び画素電極などを含む下部表示板１２２と、下部表示板１２２に対向するように配置された上部表示板１２４と、二つの表示板の間に介在する液晶層を含む。このような液晶パネル１２３は全体的に短辺と長辺からなる長方形形状を有し、映像情報を表示する役割を果たす。
【００２１】
ゲート配線は液晶パネル１２３の長辺と実質的に平行方向に延長されてもよく、データ配線は液晶パネル１２３の短辺と実質的に平行方向に延長されてもよい。例えば、ゲート配線は、液晶パネル１２３の長辺と完全に平行になるように延長されてもよく、液晶パネル１２３の長辺の延長方向に沿って延長され、ジグザグ形態で延長されてもよいが、これに限定されるものではない。また、データ配線は、液晶パネル１２３の短辺と完全に平行になるように延長されてもよく、液晶パネル１２３の短辺の延長方向に沿って延長され、ジグザグ形態で延長されてもよいが、これに限定されるものではない。
【００２２】
視聴者が液晶表示装置１００を見るとき、液晶パネル１２３の短辺は視聴方向の左右に位置し、液晶パネル１２３の長辺は視聴方向の上下に位置してもよい。但し、本発明はこれに限定されるものではなく、これと逆の場合を含んでもよい。
【００２３】
回路フィルム１２６ａ及び駆動集積回路チップ１２６ｂは、データ駆動部を含み、液晶パネル１２３の下側長辺に位置し、下部表示板１２２に形成された各データ配線に接続されてデータ駆動信号を供給する。回路フィルム１２６ａ及び駆動集積回路チップ１２６ｂは、例えば、回路フィルム１２６ａ上に駆動集積回路チップ１２６ｂが形成されるテープキャリアパッケージ（Ｔａｐｅ  Ｃａｒｒｉｅｒ  Ｐａｃｋａｇｅ、以下ＴＣＰ）タイプ又はチップオンフィルム（Ｃｈｉｐ  Ｏｎ  Ｆｉｌｍ、以下ＣＯＦ）タイプなどで形成してもよい。
【００２４】
また、ゲート駆動部は、下部表示板１２２に形成された各ゲート配線に接続されてゲート駆動信号を供給し、下部表示板１２２上に集積回路（ｉｎｔｅｇｒａｔｅｄ  ｃｉｒｃｕｉｔ）の形態で形成されてもよい。例えばゲート駆動部は下部表示板１２２の一面の左側又は右側の短辺に沿って形成されてもよい。ゲート駆動部は薄膜トランジスターアレイを製造する過程で共に形成されてもよい。但し、本発明はこれに限定されるものではなく、ゲート駆動部は回路フィルム１２６ａ及び駆動集積回路チップ１２６ｂと同一な形態で形成されてもよい。
【００２５】
一方、第１印刷回路基板１２８には、ゲート駆動部に入力されるゲート駆動信号と、データ駆動部に入力されるデータ駆動信号を処理するいくつかの駆動部品（図示せず）を実装する。即ち、第１印刷回路基板１２８は液晶パネル１２３に接続されて映像情報を提供する。第１印刷回路基板１２８は、外部制御装置（図示せず）とインターフェースフィルム（図示せず）を介して接続され、イメージ映像をディスプレイするための多様な信号の印加を受ける。
【００２６】
第１印刷回路基板１２８は液晶パネル１２３の長辺に沿って配置される。液晶表示装置１００の厚さを最小化するため、第１印刷回路基板１２８が導光板１５０と同一な平面に配置されてもよい。また第１印刷回路基板１２８は、下部収納容器１７０内に配置され、下部収納容器１７０の下側側壁と導光板１５０との間に配置される。従来は、下部収納容器１７０の下側側壁と導光板１５０との間に光源を配置し、第１印刷回路基板１２８は下部収納容器１７０の外部に配置したが、本実施形態では、光源１７７を液晶表示パネル１２３の短辺と平行である下部収納容器１７０の左側壁又は右側側壁と導光板１５０との間に配置し、第１印刷回路基板１２８を液晶表示パネル１２３の長辺と平行である下部収納容器１７０の下側側壁と導光板１５０との間に配置することによって、液晶表示装置のサイズをスリム化することができる。
【００２７】
回路フィルム１２６ａの一側は異方性導電フィルム（ａｎｉｓｏｔｒｏｐｉｃ  ｃｏｎｄｕｃｔｉｖｅ  ｆｉｌｍ、図示せず）を介して液晶パネル１２３と接続することができる。回路フィルム１２６ａの他側はコネクタ（ｃｏｎｎｅｃｔｏｒ、図４（Ａ）の１８２参照）を介して第１印刷回路基板１２８と接続することができる。コネクタ１８２は第１印刷回路基板１２８の背面に形成されてもよい。回路フィルム１２６ａはモールドフレーム１３０の内側壁に沿って第１印刷回路基板１２８に向かって延長されて第１印刷回路基板１２８と接続することができる。
【００２８】
本実施形態で、タイミングコントローラ（Ｔｉｍｉｎｇ  ｃｏｎｔｒｏｌｌｅｒ）は、第１印刷回路基板１２８上に形成されず、駆動集積回路チップ１２６ｂに組み込まれて（ｅｍｂｅｄｄｅｄ）いる。従って、第１印刷回路基板１２８のサイズを縮小することが可能である。第１印刷回路基板１２８のサイズが縮小されることによって、第１印刷回路基板１２８を下部収納容器１７０の下側側壁内側と導光板１５０との間に配置することができる。第１印刷回路基板１２８及び駆動集積回路チップ１２６ｂについては後述する。
【００２９】
バックライトアセンブリ１９０は、モールドフレーム１３０、光学シート１４０、導光板１５０、反射シート１６０、光源１７７、及び下部収納容器１７０などを含む。
【００３０】
導光板１５０は光源１７７から提供された光を液晶パネル１２３へ均一に供給する。導光板１５０は、少なくとも一側に光源１７７が配置され、下部収納容器１７０に収納される。導光板１５０は、例えば、液晶パネル１２３のように長方形板の形状（ちょうほうけいばん）で形成されてもよい。しかし、これに限定されるものではなく、発光ダイオードのような点光源素子１７８を使用する場合、点光源素子１７８の位置に応じて溝又は突起などを含む多様なパターンで形成されてもよい。
【００３１】
導光板１５０は、説明の便宜上、プレート（ｐｌａｔｅ）形態で記述しているが、表示装置のスリム化のためにシート又はフィルム形態で形成されてもよい。即ち、導光板１５０は光をガイドするためのプレート及びフィルムを共に含む概念として記述する。導光板１５０は透光性材料、例えばＰＭＭＡ（ＰｏｌｙＭｅｔｈｙｌＭｅｔｈＡｃｒｙｌａｔｅ）のようなアクリル樹脂、ポリカーボネート（ＰＣ：ＰｏｌｙＣａｒｂｏｎａｔｅ）のような材料で形成してもよい。
【００３２】
導光板１５０の少なくともいずれか一つの面にはパターンを形成してもよい。例えば下面にはガイドされた光が上部に出射できるように散乱パターン（図示せず）を形成してもよい。
【００３３】
導光板１５０の一側には光源１７７が配置されている。本実施形態では、光源１７７は第１印刷回路基板１２８とは異なり液晶パネル１２３の短辺と平行である導光板１５０の側部に配置される。即ち、光源１７７は液晶パネル１２３の短辺に沿って配置される。光源１７７は下部収納容器１７０の内側側壁と導光板１５０との間に配置される。
【００３４】
光源１７７は、回路パターンが形成された第２印刷回路基板１７６と、第２印刷回路基板１７６上に実装された点光源素子１７８を含む。ここで、第２印刷回路基板１７６には、軟性印刷回路基板（ＦＰＣＢ）、硬性印刷回路基板（ＲＰＣＢ）、メタル印刷回路基板（ＭＰＣＢ）、又はメタルコア印刷回路基板（ＭＣＰＣＢ）などの多様な印刷回路基板を用いることができる。
【００３５】
点光源素子１７８は光を直接放出する発光素子を含む。例えば、点光源素子１７８としては発光ダイオード（Ｌｉｇｈｔ  Ｅｍｉｔｔｅｄ  Ｄｉｏｄｅ：ＬＥＤ）、白熱電球、白色ハロゲンランプなどを使用してもよい。好ましくは、色再現性が優れ且つ消費電力が低い発光ダイオード（ＬＥＤ）を使用してもよい。点光源素子１７８はフレーム（図示せず）及びフレーム内部に実装された赤、緑、青の発光チップからなり、これらのそれぞれの発光チップから放出される赤色光、緑色光、及び青色光が混合されることにより白色光が作られる。
【００３６】
光学シート１４０は、導光板１５０の上部に配置されて導光板１５０から伝達される光を拡散し、集光する役割を果たす。光学シート１４０は、拡散シート、プリズムシート、保護シートなどを含んでもよい。拡散シートは導光板１５０から入射する光を分散させて光が部分的に密集することを防止する。プリズムシートは一面に三角柱形状のプリズムが一定の配列を有して形成されており、拡散シート上に配置されて拡散シートから拡散された光を液晶パネル１２３に垂直方向に集光する役割を果たす。保護シートはプリズムシートの上に形成してもよく、プリズムシートの表面を保護し、光を拡散させて光の分布を均一にすることができる。
【００３７】
反射シート１６０は、導光板１５０と下部収納容器１７０の底面との間に配置され、導光板１５０の下部に放出される光を液晶パネル１２３に向かうように反射させて光の効率を向上させる。
【００３８】
反射シート１６０は、例えばポリエチレンテレフタレート（ＰＥＴ：ＰｏｌｙＥｔｈｙｌｅｎｅ  Ｔｅｒｅｐｈｔｈａｌａｔｅ）からなり、反射性を有してもよく、その片方の表面は、例えば、二酸化チタンを含有する拡散層でコーティングしてもよい。一方、反射シート１６０は例えばＡｇのような金属を含む材質で形成されてもよい。
【００３９】
モールドフレーム１３０は、長方形フレーム形状からなり、光学シート１４０の上部外周に配置される。モールドフレーム１３０は、下部収納容器１７０と結合して光学シート１４０、導光板１５０、反射シート１６０、光源１７７、及び第１印刷回路基板１２８を内部に収納する。モールドフレーム１３０の側壁は下部収納容器１７０の側壁より外側に位置してもよい。モールドフレーム１３０と下部収納容器１７０はフック結合又はねじ結合などの多様な方法で結合することができる。
【００４０】
液晶パネル１２３はモールドフレーム１３０上に配置され、上部収納容器１１０は、液晶パネル１２３の上部外周を覆い、下部収納容器１７０又はモールドフレーム１３０と結合される。
【００４１】
以下、図３（Ａ）及び図３（Ｂ）を参照して図１及び図２に示す第１印刷回路基板及び駆動集積回路チップについて説明する。図３（Ａ）は、従来の第１印刷回路基板及び駆動集積回路チップを説明するための図面であり、図３（Ｂ）は、図１及び図２に示す第１印刷回路基板及び駆動集積回路チップを説明するための図である。
【００４２】
図３（Ａ）を参照すると、タイミングコントローラ２３６は、信号接続部２４６を介して外部システムから画像表示のためのＲＧＢデータ、フレーム時点を示すデータイネーブル信号、垂直同期信号と水平同期信号、及びクロック信号などの入力を受け、画像を表示するためのデータを駆動集積回路チップ２２６ｂに伝送する。従来の技術によるタイミングコントローラ２３６と駆動集積回路チップ２２６ｂは別途のチップで構成され、タイミングコントローラ２３６は第１印刷回路基板２２８上に形成される。このようにタイミングコントローラ２３６を第１印刷回路基板２２８上に形成することは第１印刷回路基板２２８のサイズを増加させる原因になる。タイミングコントローラ２３６が形成された第１印刷回路基板２２８の幅（ｗ１）は、例えば、約８．５〜１１ｍｍである。
【００４３】
これに対し、図３（Ｂ）を参照すると、本実施形態による駆動集積回路チップ１２６ｂにはタイミングコントローラ１３６が組み込まれている。駆動集積回路チップ１２６ｂに組み込まれたタイミングコントローラ１３６は信号接続部１４６を介して外部システムからの信号を直接受信することができる。これにより、従来のタイミングコントローラ２３６で行われていた機能を駆動集積回路チップ１２６ｂ自体で処理することができる。従って、本実施形態による駆動集積回路チップ１２６ｂにタイミングコントローラ１３６を組み込むことによって、第１印刷回路基板１２８上にタイミングコントローラ１３６を形成する必要がなくなり、第１印刷回路基板１２８の幅を減少させることができる。タイミングコントローラ１３６が形成されない第１印刷回路基板１２８の幅（ｗ２）は例えば、約６ｍｍである。
【００４４】
従って、本実施形態では、第１印刷回路基板１２８の幅を減らすことによって、第１印刷回路基板１２８を導光板１５０と同一な平面に配置し、下部収納容器１７０の下側側壁の内側と導光板１５０との間に配置することができる。
【００４５】
以下図４（Ａ）及び図４（Ｂ）を参照して図１に示す第１印刷回路基板と回路フィルムの結合関係について詳しく説明する。図４（Ａ）は、図１に示す第１印刷回路基板と回路フィルムの結合関係を示す斜視図であり、図４（Ｂ）は、図４（Ａ）に示す回路フィルムの斜視図である。
【００４６】
図４（Ａ）及び図４（Ｂ）を参照すると、コネクタ１８２は、絶縁体からなるハウジング（ｈｏｕｓｉｎｇ）２１０と、ハウジング２１０の一側に形成された多数のリード線２３０と、ハウジング２１０の他側に形成されたスロット（ｓｌｏｔ）２１４を含む。
【００４７】
ハウジング２１０の一側には外部へ所定の長さで延長された多数のリード線２３０が稠密に配列されている。多数のリード線２３０の各々は第１印刷回路基板１２８上に形成された回路パターンとはんだ付け（ｓｏｌｄｅｒｉｎｇ）などによって電気的に接続される。
【００４８】
また、ハウジング２１０の他側には回路フィルム１２６ａのケーブルホルダ（ｃａｂｌｅ  ｈｏｌｄｅｒ）２５２が挿入されるスロット２１４が形成される。ここで、スロット２１４の内部には多数のピン２４０が配列されている。多数のリード線２３０と多数のピン２４０は互いに対応してそれぞれが接続されている。
【００４９】
コネクタ１８２とケーブルホルダ２５２は互いに結合された状態でフック（ｈｏｏｋ）結合し、このためにハウジング２１０にはフックホール（ｈｏｏｋ  ｈｏｌｅ）２１２が形成されている。
【００５０】
回路フィルム１２６ａの一端には絶縁体からなるケーブルホルダ２５２が形成され、ケーブルホルダ２５２は上述したようにスロット２１４に挿入される。ケーブルホルダ２５２で回路フィルム１２６ａと接続されない他側の面には多数のピンホール（ｐｉｎ  ｈｏｌｅ）２５６が配列されている。多数のピンホール２５６と多数の配線は互いに対応してそれぞれが接続されている。
【００５１】
ケーブルホルダ２５２がスロット２１４に挿入されてハウジング２１０とフック結合をするため、ハウジング２１０のフックホール２１２に対応してケーブルホルダ２５２の一面にはフック２５４が形成される。フック２５４とフックホール２１２の配置は互いに換わってもよい。そして、本実施形態では、ケーブルホルダ２５２とハウジング２１０がフック結合をするものと説明したが、本発明はこれに限定されず、多様な形態の結合手段を適用してもよい。
【００５２】
本実施形態では、第１印刷回路基板１２８と回路フィルム１２６ａがコネクタ１８２を介して接続される場合を例にあげて説明したが、本発明はこれに限定されず、異方性導電フィルムなどを利用した熱圧搾方法により接続されてもよい。
【００５３】
以下、図５を参照して図１に示す回路フィルムと液晶パネルの結合関係について詳しく説明する。図５は、図１に示す回路フィルムと液晶パネルの結合関係を示す斜視図である。
【００５４】
図５を参照すると、液晶パネル１２３の下部表示板１２２上にデータ配線１０が形成されており、データ配線１０の終端にはデータパッド１２が形成されている。回路フィルム１２６ａは、配線パターン３２と、配線パターン３２の終端に形成された配線パッド３４を含む。データパッド１２上に異方性導電フィルム２０を付着し、その上に回路フィルム１２６ａを配置してデータパッド１２と配線パッド３４を整列（ａｌｉｇｎ）させた後、回路フィルム１２６ａを熱圧搾方法により液晶パネル１２３の下部表示板１２２に付着する。異方性導電フィルム２０は、樹脂フィルムと、樹脂フィルムの間に分散した導電性粒子からなるが、熱圧搾によってデータパッド１２と配線パッド３４との間には導電性粒子が介在して互いに通電し、これらのパッド以外の領域では樹脂フィルムによって接合される。
【００５５】
以下、図６を参照して本発明の第２実施形態による液晶表示装置について説明する。図６は、本発明の第２実施形態による液晶表示装置の正面図である。説明の便宜上、上記実施形態の図面に示す各部材と同一の機能を有する部材は同一符号で示す。従って、その説明は省略し、以下では差異点を中心に説明する。
【００５６】
本発明の第２実施形態による液晶表示装置１０１の場合、データ駆動部としての駆動集積回路チップ１２６ｂがＣＯＧ（Ｃｈｉｐ  Ｏｎ  Ｇｌａｓｓ）タイプで液晶パネル１２３上に実装される。駆動集積回路チップ１２６ｂと第１印刷回路基板１２８は液晶パネル１２３の下側長辺に位置する回路フィルム１２６ａにより電気的に接続される。
【００５７】
以下、本発明の実施形態では説明の便宜のため、駆動集積回路チップ１２６ｂが回路フィルム１２６ａ上に形成された形態を例に説明するが、これとは異なりＣＯＧタイプの駆動集積回路チップ１２６ｂと回路フィルム１２６ａを適用できることは自明である。
【００５８】
以下、図７及び図８を参照して本発明の第３実施形態による液晶表示装置について説明する。図７は、本発明の第３実施形態による液晶表示装置の分解斜視図であり、図８は、図７に示す液晶表示装置の正面図である。説明の便宜上、上記実施形態の図面に示す各部材と同一の機能を有する部材は同一符号で示す。従って、その説明は省略し、以下では差異点を中心に説明する。
【００５９】
本発明の第３実施形態による液晶表示装置１０２で、第１印刷回路基板１２８は液晶パネル１２３の長辺に沿って配置される。第１印刷回路基板１２８は液晶パネル１２３の下側長辺と平行である下部収納容器１７０の下側側壁と導光板１５０との間に配置することができる。
【００６０】
光源１７７は、液晶パネル１２３の短辺に沿って配置される。光源１７７は液晶パネル１２３の短辺と平行である下部収納容器１７０の側壁と導光板１５０との間に配置することができる。
【００６１】
駆動集積回路チップ１２６ｂ及び回路フィルム１２６ａは液晶パネル１２３の短辺に配置されてもよい。駆動集積回路チップ１２６ｂ及び回路フィルム１２６ａは光源１７７が隣接して配置された液晶パネル１２３の短辺と対向する短辺に配置されてもよい。回路フィルム１２６ａの一端は液晶パネル１２３と接続され、他端は第１印刷回路基板１２８と接続される。回路フィルム１２６ａは、液晶パネル１２３の短辺に沿って折り曲げられた後に液晶パネル１２３の長辺に沿って延長され、以後１回折れて第１印刷回路基板１２８に向かって延長されてもよい。又は、回路フィルム１２６ａは、液晶パネル１２３の短辺に沿って折り曲げられた後に液晶パネル１２３の長辺に沿って延長され、折れることなく第１印刷回路基板１２８に向かって延長されてもよい。
【００６２】
本実施形態では、駆動集積回路チップ１２６ｂは液晶パネル１２３の短辺に配置され、ここで、ゲート配線は液晶パネル１２３の短辺と実質的に平行方向に延長されてもよく、データ配線は液晶パネル１２３の長辺と実質的に平行方向に延長されてもよい。データ配線を液晶パネル１２３の長辺と実質的に平行方向に延長して形成すると、データ配線を液晶パネル１２３の短辺と実質的に平行方向に延長して形成する場合に比べ、データ駆動部のチャネル数を２／３に減らすことができる。
【００６３】
以下、図９及び図１０を参照して本発明の第４実施形態による液晶表示装置について説明する。図９は、本発明の第４実施形態による液晶表示装置の分解斜視図であり、図１０は、図９に示す液晶表示装置の正面図である。説明の便宜上、上記実施形態の図面に示す各部材と同一の機能を有する部材は同一符号で示す。従って、その説明は省略し、以下では差異点を中心に説明する。
【００６４】
本発明の第４実施形態による液晶表示装置１０３において、第１印刷回路基板１２８は液晶パネル１２３の短辺に沿って配置される。第１印刷回路基板１２８は液晶表示パネル１２３の短辺と平行である下部収納容器１７０の下側側壁と導光板１５０との間に配置することができる。
【００６５】
光源１７７を構成する点光源素子１７８及び第２印刷回路基板１７６は液晶パネル１２３の下側長辺に沿って導光板１５０の側部に配置される。具体的に点光源素子１７８は液晶表示装置１０２の下側に配置される。
【００６６】
駆動集積回路チップ１２６ｂ及び回路フィルム１２６ａは液晶パネル１２３の短辺に配置されてもよく、第１印刷回路基板１２８と隣接した液晶パネル１２３の短辺に配置されてもよい。
【００６７】
本実施形態で、駆動集積回路チップ１２６ｂは液晶パネル１２３の短辺に配置され、ここで、ゲート配線は液晶パネル１２３の短辺と実質的に平行方向に延長されており、データ配線は液晶パネル１２３の長辺と実質的に平行方向に延長されてもよい。
【００６８】
以下、図１１及び図１２を参照して本発明の第５実施形態による液晶表示装置について説明する。図１１は、本発明の第５実施形態による液晶表示装置の分解斜視図であり、図１２は、図１１の液晶表示装置の正面図である。説明の便宜上、上記実施形態の図面に示す各部材と同一の機能を有する部材は同一符号で示す。従って、その説明は省略し、以下では差異点を中心に説明する。
【００６９】
本発明の第５実施形態による液晶表示装置１０４において、第１印刷回路基板１２８は液晶パネル１２３の短辺に沿って配置される。第１印刷回路基板１２８は液晶パネル１２３の短辺と平行である下部収納容器１７０の下側側壁と導光板１５０との間に配置することができる。
【００７０】
光源１７７は液晶パネル１２３の長辺に沿って配置される。光源１７７は液晶パネル１２３の上側長辺と平行である下部収納容器１７０の側壁と導光板１５０との間に配置することができる。光源１７７は液晶パネル１２３の上側に配置されてもよい。
【００７１】
駆動集積回路チップ１２６ｂ及び回路フィルム１２６ａは液晶パネル１２３の長辺に配置されてもよい。駆動集積回路チップ１２６ｂ及び回路フィルム１２６ａは光源１７７が隣接して配置された液晶パネル１２３の長辺と対向する長辺に配置されてもよい。回路フィルム１２６ａの一端は液晶パネル１２３と接続され、他端は第１印刷回路基板１２８と接続される。回路フィルム１２６ａは液晶パネル１２３の長辺に沿って折り曲げられた後に液晶パネル１２３の短辺に沿って延長され、以後１回折れて第１印刷回路基板１２８に向かって延長されてもよい。又は、回路フィルム１２６ａは、液晶パネル１２３の長辺に沿って折り曲げられた後に液晶パネル１２３の長辺に沿って延長され、折れることなく第１印刷回路基板１２８に向かって延長されてもよい。
【００７２】
本実施形態で、駆動集積回路チップ１２６ｂは液晶パネル１２３の長辺に配置され、ここで、ゲート配線は液晶パネル１２３の長辺と実質的に平行方向に延長されており、データ配線は液晶パネル１２３の短辺と実質的に平行方向に延長されてもよい。
【００７３】
以下、図１３を参照して本発明の第６実施形態による液晶表示装置について説明する。図１３は、本発明の第６実施形態による液晶表示装置の正面図である。説明の便宜上、上記実施形態の図面に示す各部材と同一の機能を有する部材は同一符号で示す。従って、その説明は省略し、以下では差異点を中心に説明する。
【００７４】
本発明の第６実施形態による液晶表示装置１０５では、本発明の第５実施形態による液晶表示装置１０４とは異なり、光源１７７が液晶パネル１２３の下側長辺に沿って配置され、駆動集積回路チップ１２６ｂ及び回路フィルム１２６ａが液晶パネル１２３の上側長辺に配置される。
【００７５】
以下、図１４及び図１５を参照して本発明の第７実施形態による液晶表示装置について説明する。図１４は、本発明の第７実施形態による液晶表示装置の分解斜視図であり、図１５は、図１４に示すモールドフレームの平面図である。説明の便宜上、上記実施形態の図面に示す各部材と同一の機能を有する部材は同一符号で示す。従って、その説明は省略し、以下では差異点を中心に説明する。
【００７６】
本発明の第７実施形態による液晶表示装置１０６で、モールドフレーム１３１の内側壁には溝１３５が形成されている。溝１３５は回路フィルム１２６ａが配置される領域に対応して形成される。溝１３５は回路フィルム１２６ａがモールドフレーム１３１の内側壁に沿って第１印刷回路基板１２８に向かって延長される際、回路フィルム１２６ａがモールドフレーム１３１の干渉を受けずに通過できる空間を提供する。
【００７７】
以下、図１６を参照して本発明の第８実施形態による液晶表示装置について説明する。図１６は、本発明の第８実施形態による液晶表示装置の分解斜視図である。説明の便宜上、上記実施形態の図面に示す各部材と同一の機能を有する部材は同一符号で示す。従って、その説明は省略し、以下では差異点を中心に説明する。
【００７８】
本発明の第８実施形態による液晶表示装置１０７で、回路フィルム１２６ａはモールドフレーム１３０の外側壁に沿って第１印刷回路基板１２８に向かって延長され、第１印刷回路基板１２８と接続される。モールドフレーム１３０の側壁は下部収納容器１７０の側壁より内側に位置してもよい。
【００７９】
以下、図１７及び図１８を参照して本発明の第９実施形態による液晶表示装置について説明する。図１７は、本発明の第９実施形態による液晶表示装置の分解斜視図であり、図１８は、図１７に示すモールドフレームの平面図である。説明の便宜上、上記実施形態の図面に示す各部材と同一の機能を有する部材は同一符号で示す。従って、その説明は省略し、以下では差異点を中心に説明する。
【００８０】
本発明の第９実施形態による液晶表示装置１０８で、モールドフレーム１３２の外側壁には溝１３７が形成されている。溝１３７は回路フィルム１２６ａが配置される領域に対応して形成される。溝１３７は回路フィルム１２６ａがモールドフレーム１３２の外側壁に沿って第１印刷回路基板１２８に向かって延長される際、回路フィルム１２６ａがモールドフレーム１３２の干渉を受けずに通過できる空間を提供する。
【００８１】
以下、図１９を参照して本発明の第１０実施形態による表示装置セットについて説明する。図１９は、本発明の第１０実施形態による表示装置セットの分解斜視図である。説明の便宜のため、本実施形態では、図１に示す液晶表示装置が適用された場合を例にあげて説明するが、本発明はこれに限定されものではなく、上述した全ての液晶表示装置が適用され得る。
【００８２】
図１９を参照すると、本発明の第１０実施形態による表示装置セット２００は、液晶表示装置１００と、液晶表示装置１００の後面に配置されるバックケース２２０と、液晶表示装置１００の前面に配置され、バックケース２２０と結合するフロントケース２１８を含む。フロントケース２１８には液晶表示装置１００の有効表示領域を露出させる開放ウィンドウ形成されている。
【００８３】
バックケース２２０及びフロントケース２１８は全体的に短辺と長辺からなる長方形形状であってもよい。
【００８４】
以上、図面を参照しながら本発明の実施形態について説明したが、本発明は、上述の実施形態に限定されるものではなく、本発明の技術的範囲から逸脱しない範囲内で多様に変更実施することが可能である。
【符号の説明】
【００８５】
１０    データ配線
１２    データパッド
２０    異方性導電フィルム
３２    配線パターン
３４    配線パッド
１００、１０１、１０２、１０３、１０４、１０５、１０６、１０７、１０８    液晶表示装置
１１０    上部収納容器
１２０    液晶パネルアセンブリ
１２２    下部表示板
１２３    液晶パネル
１２４    上部表示板
１２６ａ    回路フィルム
１２６ｂ、２２６ｂ    駆動集積回路チップ
１２８、２２８    第１印刷回路基板
１３０、１３１、１３２    モールドフレーム
１３５、１３７    溝
１３６、２３６    タイミングコントローラ
１４０    光学シート
１４６、２４６    信号接続部
１５０    導光板
１６０    反射シート
１７０    下部収納容器
１７６    第２印刷回路基板
１７７    光源
１７８    点光源素子
１８２    コネクタ
１９０    バックライトアセンブリ
２００    表示装置セット
２１０    ハウジング
２１２    フックホール
２１４    スロット
２１８    フロントケース
２２０    バックケース
２３０    リード線
２４０    ピン
２５２    ケーブルホルダ
２５４    フック
２５６    ピンホール
【図１】
2012018401.tif 000003
【図２】
2012018401.tif 000004
【図３】
2012018401.tif 000005
【図４】
2012018401.tif 000006
【図５】
2012018401.tif 000007
【図６】
2012018401.tif 000008
【図７】
2012018401.tif 000009
【図８】
2012018401.tif 000010
【図９】
2012018401.tif 000011
【図１０】
2012018401.tif 000012
【図１１】
2012018401.tif 000013
【図１２】
2012018401.tif 000014
【図１３】
2012018401.tif 000015
【図１４】
2012018401.tif 000016
【図１５】
2012018401.tif 000017
【図１６】
2012018401.tif 000018
【図１７】
2012018401.tif 000019
【図１８】
2012018401.tif 000020
【図１９】
2012018401.tif 000021